(57)【要約】      （修正有）【課題】簡単な構造の防刃・防弾・浮揚体ユニットを用い、救命胴衣としても機能させ得る胴衣を提供する。【解決手段】防刃・防弾・浮揚体ユニット１は、防弾・防刃材と浮揚体とを袋状にした外装材内に収納して一体化したものである。防刃・防弾・浮揚体ユニット１は、袋状の外装２内に防弾・防刃性を有する高強度ポリエチレン素材又は同等品からなる複数枚の防弾・防刃材３と、低密度ポリエチレン発泡樹脂等からなる浮揚体４とを収納したものである。防弾・防刃性は、防弾・防刃材３の枚数や素材などで必要に応じて適宜に設定する。また浮揚体４による浮力も浮揚体４の体積や素材などで必要に応じて適宜に設定する。この防刃・防弾・浮揚体ユニット１は、前身ごろ体や後身ごろ体の差し入れ口から、前身ごろ体や後身ごろ体の内部へ挿入し、あるいは抜き出し可能とする。【選択図】図９
0003182537.tif 000002
【実用新案登録請求の範囲】
【請求項１】
袋状の外装内に防弾・防刃性を有する複数枚の防弾・防刃材と、浮力を生じさせるための浮揚体とを収納して一体化してなる防刃・防弾・浮揚体ユニット。
【請求項２】
前記袋状の外装を完全防水構造のものとした請求項１に記載の防刃・防弾・浮揚体ユニット。
【請求項３】
前記袋状の外装に前記複数枚の防弾・防刃材と、浮力を生じさせるための浮揚体とを出し入れ可能に収納した請求項１に記載の防刃・防弾・浮揚体ユニット。
【請求項４】
請求項１乃至３のいずれかに記載の防刃・防弾・浮揚体ユニットを用いた胴衣。
【考案の詳細な説明】
【技術分野】
【０００１】
本考案は、防刃・防弾・浮揚体ユニット、及びこれを用いて弾丸や刃物などから身体を防御すること及び救命胴衣としても機能させ得る胴衣に関する。
【背景技術】
【０００２】
防弾チョッキ等と称される防護用の胴衣は、その内側に銃弾や刃物が貫通できないようにするため、ポリエチレン系のスペクトラ、ナイロン系繊維を製造したケブラ、またはガラス繊維で製造したＥーガラス等の防弾材、防刃材を装着している。
【０００３】
一方、救命胴衣は、所要の浮力を生じさせるための浮揚体を内蔵しており、着用者が落水等で水中に入った場合に浮揚体で生じる浮力により水上に浮くようになっている。
【０００４】
従来の防護用の胴衣は、水中における使用について考慮されておらず、救命胴衣は、もちろんながら防弾、防刃という防護機能については考慮されていない。
【０００５】
このような問題を解決するため、水に浮く救命胴衣に防刃材、防弾材を装着したものが知られている（例えば特許文献１）。この救命胴衣は、外皮と内皮との間に浮力材を内蔵し、水に対する浮力を有する救命胴衣において、浮力材を救命胴衣の内外皮の間の内皮の全体面に縫着、融着又は接着し、救命胴衣の前面部と後面部の外皮にはポケットを複数形成し、これらのポケットに防弾材を挿入している。
【０００６】
水に浮かぶことができる救命胴衣に防弾材を挿入させ、クッションを有している浮揚材をからだの方向に位置するように挿入し、銃弾や刀剣による加傷を防止する防弾材は浮揚材の外側に設置することで、この救命胴衣を着用した状態で銃弾に当たった時、防弾材、防刃材で銃弾や刀剣による加傷を防止し、内側の浮揚体では衝撃を緩和させ、着用者を衝撃から保護し、着用者が水に入った場合には浮揚体によって着用者が水に浮けるようになり、溺死を防げ得るようにしている。
【考案の概要】
【考案が解決しようとする課題】
【０００７】
しかしながら特許文献１に開示されている胴衣は、防刃・防弾材と浮揚体とを身体に対して内外のどちらに配置するかなどは考えられているものの、考慮的にはそこまでであり、構造的には面倒なままであり、改良が望まれていた。
【課題を解決するための手段】
【０００８】
本考案の防刃・防弾・浮揚体ユニットは、袋状の外装内に防弾・防刃性を有する複数枚の防弾・防刃材と、浮力を生じさせるための浮揚体とを収納して一体化してなることを特徴とする。
また本考案の胴衣は、前記防刃・防弾・浮揚体ユニットを用いたことを特徴とする。
【考案の効果】
【０００９】
本考案によれば、簡単な構造の防刃・防弾・浮揚体ユニットと、これを用いて弾丸や刃物などから身体を防御すること及び救命胴衣としても機能させ得る胴衣を提供することができる。
【図面の簡単な説明】
【００１０】
【図１】本考案に係る防護用の胴衣の実施形態１の正面図
【図２】同背面図
【図３】図１の胴衣を構成する前身ごろの正面図
【図４】同背面図
【図５】図１の胴衣を構成する後身ごろの正面図
【図６】同背面図
【図７】装備品を装着した状態の図１の実施形態の正面図
【図８】同背面図
【図９】図３に示した前身ごろに内蔵する防刃・防弾・浮揚体ユニットの正面図
【図１０】同背面図
【図１１】同平面図
【図１２】同側面図
【図１３】同斜視図
【図１４】図５に示した後身ごろに内蔵する防刃・防弾・浮揚体ユニットの正面図
【図１５】同背面図
【図１６】同平面図
【図１７】同側面図
【図１８】同斜視図
【図１９】実施形態１の胴衣に取り付けるポケット等の例を示す図
【図２０】本考案に係る防護用の胴衣の実施形態２に係る前身ごろの正面図であって、装備品を装着した状態の正面図
【図２１】同背面図
【図２２】同後身ごろの正面図
【図２３】同背面図
【図２４】図２０に示した前身ごろに内蔵する防刃・防弾・浮揚体ユニットの正面図
【図２５】同背面図
【図２６】同平面図
【図２７】同側面図
【図２８】同底面図
【図２９】同斜視図
【図３０】図２２に示した後身ごろに内蔵する防刃・防弾・浮揚体ユニットの正面図
【図３１】同背面図
【図３２】同平面図
【図３３】同側面図
【図３４】同斜視図
【考案を実施するための形態】
【００１１】
＜実施形態１＞
以下に、本考案に係る胴衣の実施形態１を図面に基づき説明する。
図１は本考案に係る防護用胴衣の実施形態１の正面図、図２はその背面図、図３は図１の胴衣を構成する前身ごろの正面図、図４はその背面図を示している。また図５は、図１の胴衣を構成する後身ごろの正面図、図６はその背面図である。
【００１２】
図示の実施形態の胴衣は、着用者の胸面・腹面に対向させて装着する前身ごろ体１０と、着用者の背面に対向させて装着する後身ごろ体２０とから主に構成されている。
【００１３】
前身ごろ体１０は着用者が着用したときに、着用者の胸面及び腹面に対応する前身ごろ主体部１１の上部に一対の前身ごろ肩部１２ａ、１２ｂを備えている。後身ごろ体２０は、着用者が胴衣を着用したときに、着用者の背面に対応する後身ごろ主体部２１の上部に一対の後身ごろ肩部２２ａ、２２ｂを備えている。
【００１４】
また前身ごろ体１０の前身ごろ主体部１１のうち着用者の胸面に対応する部分と、一方の前身ごろ肩部１２ａとに、それぞれポケットや小物等を取り付けるためのストラップベルト１３を複数段に備えている。図示の例では前身ごろ主体部１１の胸面に対応する部分には５段、前身ごろ肩部１２ａには３段備えている。
【００１５】
後身ごろ体２０の後身ごろ主体部２１の下部には、前身ごろ主体部１１上で着用者の腹面に対向するように延びている形状の後身ごろ装着部２４、２４が設けてある。また後身ごろ体２０の後身ごろ主体部２１の着用者の背面に対応する部分と、一方の一対の後身ごろ肩部２２ａも、それぞれストラップベルト２３を複数段に備えている。図示の例では後身ごろ体２０の背面に対応する部分には６段、後身ごろ肩部２２ａには３段備えている。
【００１６】
なおストラップベルト１３、２３を用い、例えば図１９に示すようなポケット３１、３２、３３、ロゴパッチ３４等を取り付ける。ストラップベルト１３の表面に面ファスナーを設けてロゴパッチ３４や反射材３５を取り付けても良い。その状態を図７、図８に示す。
【００１７】
後身ごろ体２０には、後身ごろ主体部２１の下部から後身ごろ装着部２４、２４を通り、着用者の腹面前側で連結可能なベルト２５と、これを通すための複数のベルトループ２６が設けてある。ベルト２５は両端にワンタッチバックル２７を備えており、着用者の身体サイズに応じて適宜締めることができるようにしてある。
【００１８】
また前身ごろ体１０の前身ごろ肩部１２ａの裏面側と前身ごろ肩部１２ｂの表面側にはそれぞれ面ファスナー１４を備えており、後身ごろ体２０の後身ごろ肩部２２ａの裏面側と後身ごろ肩部２２ｂの表面側にもそれぞれ面ファスナー２８を備えている。したがって、着用者が前身ごろ体１０と後身ごろ体２０を装着し、対応する面ファスナー１４、２８同士を接触させて固定することにより、胴衣として上部が構成される。また、その状態で後身ごろ主体部２１の後身ごろ装着部２４、２４を前身ごろ体１０の前身ごろ肩部１２ａの前側に回し、その上にベルト２５を通し、ベルト２５端部のワンタッチバックル２７を嵌め合わせて固定すれば、胴衣として下部が構成される。
【００１９】
さらに図６、図８に示すように、前身ごろ体１０の背面側と後身ごろ体２０の正面側、すなわちそれぞれの裏面側にはスライドファスナー１５、２９を用いた差し入れ口１６、３０が設けてある。本考案に係る防刃・防弾・浮揚体ユニットはそこから前身ごろ体１０、後身ごろ体２０の内部へ挿入し、あるいは抜き出せる構造としてある。このため、外衣である前身ごろ体１０と後身ごろ体２０は洗濯が可能となっている。
【００２０】
図９〜図１３は本実施形態に係る防刃・防弾・浮揚体ユニットであって前身ごろ体１０に用いるものを示す。図１４〜図１８は本実施形態に係る防刃・防弾・浮揚体ユニットであって後身ごろ体２０に用いるものを示す。これらの図に示す防刃・防弾・浮揚体ユニット１、１ａは、基本的には同一の構造を有し、防弾・防刃材と浮揚体とを袋状にした外装材内に収納して一体化したものである。
【００２１】
図９（Ｂ）は、防刃・防弾・浮揚体ユニット１の図９（Ａ）におけるＡ〜Ｄ断面図である。防刃・防弾・浮揚体ユニット１は、袋状の外装２内に防弾・防刃性を有する高強度ポリエチレン素材又は同等品からなる複数枚の防弾・防刃材３と、低密度ポリエチレン発泡樹脂等からなる浮揚体４とを収納し、好ましくは外装２へウェルダー加工による圧着を施す等して完全防水構造としたものである。防弾・防刃性は、防弾・防刃材３の枚数や素材などで必要に応じて適宜に設定できる。また浮揚体４による浮力も浮揚体４の体積や素材などで必要に応じて適宜に設定できる。防刃・防弾・浮揚体ユニット１ａについても構造は同一である。
【００２２】
このような防刃・防弾・浮揚体ユニット１、１ａは、前身ごろ体１０の背面側と後身ごろ体２０の正面側に設けたスライドファスナー１５、２９付きの差し入れ口１６、３０で前身ごろ体１０、後身ごろ体２０の内部へ挿入し、あるいは抜き出せる。
【００２３】
また、防刃・防弾・浮揚体ユニット１、１ａは、使用形態によって完全防水である必要がなければ、面ファスナー、スライドファスナー、ドットボタン等で開閉部を作成し出し入れ可能な状態のものとしても良い。
【００２４】
＜実施形態２＞
図２０は本考案に係る胴衣の実施形態２を構成する前身ごろの正面図、図２１はその背面図、また図２２は後身ごろの正面図、図２３は背面図である。この実施形態２の胴衣は実施形態１の胴衣と基本的には同じ構成を有するので異なっている点のみ以下に説明する。
【００２５】
本実施形態の胴衣１０１、１０１ａは以下のようなものである。
前身ごろ体１１０は、着用者が着用したときに、着用者の胸面及び腹面に対応する前身ごろ主体部１１１の上部に一対の前身ごろ肩部１１２ａ、１１２ｂを備えている。後身ごろ体１２０は、着用者が胴衣を着用したときに、着用者の背面に対応する後身ごろ主体部１２１の上部に一対の後身ごろ肩部１２２ａ、１２２ｂを備えている。
【００２６】
この前身ごろ体１１０の前身ごろ肩部１１２ａ、１１２ｂと、後身ごろ主体部１２１の後身ごろ肩部１２２ａ、１２２ｂには、それぞれ面ファスナー１１４、１２８が設けてあって互いに固着できるようになっている。
【００２７】
また前身ごろ主体部１１１には、ポケット１３１、１３２、１３３、ロゴパッチ１３４等を取り付けてある。また後身ごろ主体部１２１の後身ごろ肩部１２２ａ、１２２ｂには、それぞれストラップベルト１１３が設けてあり、ハンドマイクを取り付けるためのマイクループ等として使用できるようになっている。
【００２８】
前身ごろ体１１０の中央より若干下部には、後身ごろ主体部１２１上へ対向するように着け回す前身ごろ装着部１２４、１２４が設けてある。またこの前身ごろ装着部１２４、１２４には、ベルト１２５を通すためのベルトループ１２６と、ワンタッチバックル１２７の受け側とを取り付けてある。そして後身ごろ体２０には、後身ごろ主体部１２１の下部から前身ごろ装着部１２４、１２４を通り、着用者の腹面前側で連結可能にベルト１２５が設けてあり、ベルト１２５の両端にはワンタッチバックル１２７の差し込み側を備えており、着用者の身体サイズに応じて適宜締めることができるようにしてある。
【００２９】
さらに図２１、図２３に示すように、前身ごろ体１１０の背面側と後身ごろ体１２０の正面側、すなわちそれぞれの裏面側にはスライドファスナー１１５、１２９を用いた差し入れ口１１６、２３０が設けてある。本考案に係る防刃・防弾・浮揚体ユニットはそこから前身ごろ体１１０、後身ごろ体１２０の内部へ挿入し、あるいは抜き出せる構造としてある。このため本実施形態でも、外衣である前身ごろ体１１０と後身ごろ体１２０は洗濯が可能となっている。
【００３０】
図２４〜図２９は本実施形態に係る防刃・防弾・浮揚体ユニットであって前身ごろ体１１０に用いるものを示す。図３０〜図３４は本実施形態に係る防刃・防弾・浮揚体ユニットであって後身ごろ体１２０に用いるものを示す。これらの図に示す防刃・防弾・浮揚体ユニット１０１、１０１ａは、それぞれ基本的には同一の構造を有し、また実施形態１の防刃・防弾・浮揚体ユニット１、１ａとも同一の構造を有し、防弾・防刃材と浮揚体とを袋状にした外装材内に収納して一体化したものである。
【００３１】
本実施形態の防刃・防弾・浮揚体ユニット１０１、１０１ａも、前身ごろ体１１０の背面側と後身ごろ体１２０に設けたスライドファスナー１１５、１２９付きの差し入れ口１１６、１３０で前身ごろ体１１０、後身ごろ体１２０の内部へ挿入し、あるいは抜き出せる。
【００３２】
なお、前身ごろ体１１０に用いる防刃・防弾・浮揚体ユニット１０１には、前身ごろ肩部１１２ａ、１１２ｂへの挿入部１１７、１１７が設けてある。この挿入部１１７、１１７を前身ごろ肩部１１２ａ、１１２ｂ内へ入れることにより、装着状態が安定する。
【００３３】
本考案は以上説明した実施形態に限定されるものではなく、多くの変形が本考案の技術的思想内で当分野において通常の知識を有する者により可能である。
【符号の説明】
【００３４】
１、１ａ  ：浮揚体ユニット
２        ：外装
３        ：防弾・防刃材
４        ：浮揚体
１０      ：前身ごろ体
１１      ：前身ごろ主体部
１２ａ    ：前身ごろ肩部
１２ｂ    ：前身ごろ肩部
１３      ：ストラップベルト
１４      ：面ファスナー
１５      ：スライドファスナー
１６      ：差し入れ口
２０      ：後身ごろ体
２１      ：後身ごろ主体部
２２ａ    ：後身ごろ肩部
２２ｂ    ：後身ごろ肩部
２３      ：ストラップベルト
２４      ：後身ごろ装着部
２５      ：ベルト
２６      ：ベルトループ
２７      ：ワンタッチバックル
２８      ：面ファスナー
３１      ：ポケット
３４      ：ロゴパッチ
３５      ：反射材
１０１、１０１ａ    ：浮揚体ユニット
１１０    ：前身ごろ体
１１１    ：前身ごろ主体部
１１２ａ  ：前身ごろ肩部
１１３    ：ストラップベルト
１１４    ：面ファスナー
１１５    ：スライドファスナー
１１６    ：入れ口
１１７    ：挿入部
１２０    ：後身ごろ体
１２１    ：後身ごろ主体部
１２２ａ  ：後身ごろ肩部
１２４    ：前身ごろ装着部
１２５    ：ベルト
１２６    ：ベルトループ
１２７    ：ワンタッチバックル
１２８    ：面ファスナー
１３１、１３２、１３３    ：ポケット
１３４    ：ロゴパッチ
【先行技術文献】
【特許文献】
【００３５】
【特許文献１】実開昭５５−１４１７９７号公報
【図１】
0003182537.tif 000003
【図２】
0003182537.tif 000004
【図３】
0003182537.tif 000005
【図４】
0003182537.tif 000006
【図５】
0003182537.tif 000007
【図６】
0003182537.tif 000008
【図７】
0003182537.tif 000009
【図８】
0003182537.tif 000010
【図９】
0003182537.tif 000011
【図１０】
0003182537.tif 000012
【図１１】
0003182537.tif 000013
【図１２】
0003182537.tif 000014
【図１３】
0003182537.tif 000015
【図１４】
0003182537.tif 000016
【図１５】
0003182537.tif 000017
【図１６】
0003182537.tif 000018
【図１７】
0003182537.tif 000019
【図１８】
0003182537.tif 000020
【図１９】
0003182537.tif 000021
【図２０】
0003182537.tif 000022
【図２１】
0003182537.tif 000023
【図２２】
0003182537.tif 000024
【図２３】
0003182537.tif 000025
【図２４】
0003182537.tif 000026
【図２５】
0003182537.tif 000027
【図２６】
0003182537.tif 000028
【図２７】
0003182537.tif 000029
【図２８】
0003182537.tif 000030
【図２９】
0003182537.tif 000031
【図３０】
0003182537.tif 000032
【図３１】
0003182537.tif 000033
【図３２】
0003182537.tif 000034
【図３３】
0003182537.tif 000035
【図３４】
0003182537.tif 000036